(57)【特許請求の範囲】
【請求項１】
出力部と、入力部と、を含む生活習慣改善提案装置であって、
性別及び年齢を含む基礎情報に関する複数の第１の質問と、ユーザの複数の生活習慣項目に関連する複数の第２の質問とを前記出力部に出力させる第１質問手段と、
前記第１質問手段により出力された質問に対する回答を前記入力部を介して受け付ける第１回答受付手段と、
前記複数の生活習慣項目のうち、どの項目についてユーザが優先的に生活習慣の改善を行えばよいかを示す優先度を決定するために用いられる優先度決定条件を記憶する記憶部と、
前記第１回答受付手段により受け付けられた回答と、前記記憶部に記憶された前記優先度決定条件とに基づいて、前記優先度を決定する優先度決定手段と、
前記複数の生活習慣項目の各々と前記優先度とを対応付けて前記出力部に出力させる出力手段と、
出力された前記複数の生活習慣項目からユーザによって選択されたいずれかの生活習慣項目を前記入力部を介して受け付ける選択受付手段と、
前記選択受付手段により受け付けられた生活習慣項目に関連する質問であって、前記第１質問手段により行われた第２の質問に比べて詳細な内容の第３の質問を前記出力部に出力させる第２質問手段と、
前記第２質問手段により行われた第３の質問に対する回答を前記入力部を介して受け付ける第２回答受付手段と、
前記第２回答受付手段により受け付けられた回答に基づいて、前記選択受付手段により受け付けられた生活習慣項目に対応する生活習慣上のアドバイスを提供するアドバイス提供手段と、を備える、生活習慣改善提案装置。
【請求項２】
前記優先度決定手段は、前記第１回答受付手段で受け付けられた回答に基づいて各生活習慣項目に対応する点数をそれぞれ取得し、取得したそれぞれの点数を比較することによって、前記優先度を決定するように構成されている、請求項１に記載の生活習慣改善提案装置。
【請求項３】
前記優先度決定条件は、前記第１回答受付手段で受け付けられた回答に応じて所定の生活習慣項目に点数を割り当てる点数割り当て条件を含み、
前記優先度決定手段は、前記第１回答受付手段で受け付けられた回答と、前記記憶部に記憶された前記点数割り当て条件とに基づいて、各生活習慣項目に対応する点数をそれぞれ取得し、取得したそれぞれの点数を比較することによって、前記優先度を決定するように構成されている、請求項１に記載の生活習慣改善提案装置。
【請求項４】
前記優先度は優先順位である、請求項１〜３のいずれか１項に記載の生活習慣改善提案装置。
【請求項５】
前記出力部は、表示部を含み、
前記出力手段は、前記複数の生活習慣項目の各々と前記優先度とを対応付けて前記表示部に表示させる表示制御手段を含む、請求項１〜４のいずれか１項に記載の生活習慣改善提案装置。
【請求項６】
前記複数の生活習慣項目の各々に関する前記ユーザの生活習慣の改善状況を示す情報の入力を前記入力部を介して受け付ける入力受付手段と、
前記入力受付手段により受け付けられた前記情報に基づいて、前記複数の生活習慣項目の各々に関する前記ユーザの生活習慣の改善度合いを決定する改善度合い決定手段とをさらに備え、
前記表示制御手段は、前記改善度合い決定手段により決定された前記生活習慣の前記改善度合いを前記表示部に表示させるように構成されている、請求項５に記載の生活習慣改善提案装置。
【請求項７】
前記第１回答受付手段により受け付けられた回答に基づいて、前記ユーザの生活習慣の適切度合いを決定する適切度合い決定手段をさらに備え、
前記表示制御手段は、前記適切度合い決定手段により決定された前記生活習慣の前記適切度合いを前記表示部に表示させるように構成されている、請求項５又は６に記載の生活習慣改善提案装置。
【請求項８】
前記複数の生活習慣項目は、食事、運動、喫煙、栄養バランスおよび休養睡眠に関する生活習慣項目のうちの少なくとも２つ以上の生活習慣項目を含む、請求項１〜７のいずれか１項に記載の生活習慣改善提案装置。
【請求項９】
出力部と、入力部と、を含むコンピュータを、
性別及び年齢を含む基礎情報に関する複数の第１の質問と、ユーザの複数の生活習慣項目に関連する複数の第２の質問とを前記出力部に出力させる第１質問手段と、
前記第１質問手段により出力された質問に対する回答を前記入力部を介して受け付ける第１回答受付手段と、
前記複数の生活習慣項目のうち、どの項目についてユーザが優先的に生活習慣の改善を行えばよいかを示す優先度を決定するために用いられる優先度決定条件を記憶する記憶部と、
前記第１回答受付手段により受け付けられた回答と、前記記憶部に記憶された前記優先度決定条件とに基づいて、前記複数の生活習慣項目のうち、どの項目についてユーザが優先的に生活習慣の改善を行えばよいかを示す優先度を決定する優先度決定手段と、
前記複数の生活習慣項目の各々と前記優先度とを対応付けて前記出力部に出力させる出力手段と、
出力された前記複数の生活習慣項目からユーザによって選択されたいずれかの生活習慣項目を前記入力部を介して受け付ける選択受付手段と、
前記選択受付手段により受け付けられた生活習慣項目に関連する質問であって、前記第１質問手段により行われた第２の質問に比べて詳細な内容の第３の質問を前記出力部に出力させる第２質問手段と、
前記第２質問手段により行われた第３の質問に対する回答を前記入力部を介して受け付ける第２回答受付手段と、
前記第２回答受付手段により受け付けられた回答に基づいて、前記選択受付手段により受け付けられた生活習慣項目に対応する生活習慣上のアドバイスを提供するアドバイス提供手段と、して機能させるためのコンピュータプログラム。
【請求項１０】
サーバと、前記サーバと接続される、出力部及び入力部を含む端末装置とを備えた生活習慣改善提案システムであって、
前記端末装置は、
性別及び年齢を含む基礎情報に関する複数の第１の質問と、ユーザの複数の生活習慣項目に関連する複数の第２の質問とを前記出力部に出力させる第１質問手段と、
前記第１質問手段により出力された質問に対する回答を前記入力部を介して受け付ける第１回答受付手段とを含み、
前記サーバは、
複数の生活習慣項目のうち、どの項目についてユーザが優先的に生活習慣の改善を行えばよいかを示す優先度を決定するために用いられる優先度決定条件を記憶する記憶部を含み、
前記端末装置はさらに、
前記第１回答受付手段により受け付けられた回答と、前記記憶部に記憶された前記優先度決定条件とに基づいて、前記優先度を決定する優先度決定手段と、
前記複数の生活習慣項目の各々と、前記優先度とを対応付けて前記出力部に出力させる出力手段と、
出力された前記複数の生活習慣項目からユーザによって選択されたいずれかの生活習慣項目を前記入力部を介して受け付ける選択受付手段と、
前記選択受付手段により受け付けられた生活習慣項目に関連する質問であって、前記第１質問手段により行われた第２の質問に比べて詳細な内容の第３の質問を前記出力部に出力させる第２質問手段と、
前記第２質問手段により行われた第３の質問に対する回答を前記入力部を介して受け付ける第２回答受付手段と、
前記第２回答受付手段により受け付けられた回答に基づいて、前記選択受付手段により受け付けられた生活習慣項目に対応する生活習慣上のアドバイスを提供するアドバイス提供手段と、を含む、生活習慣改善提案システム。
【発明の詳細な説明】
【技術分野】
【０００１】
本発明は、生活習慣改善提案装置、コンピュータプログラムおよび生活習慣改善提案システムに関する。
【背景技術】
【０００２】
従来、ユーザの生活習慣に関する情報に基づいて、ユーザに対して生活習慣改善のための提案を行う生活習慣改善提案装置が知られている（たとえば、特許文献１参照）。
【０００３】
上記特許文献１には、ユーザが入力した生活習慣に関する情報に基づいて、ユーザに対して生活習慣改善のための生活習慣改善メニューを提示する健康指導システム（生活習慣改善提案システム）が開示されている。この健康指導システムは、食生活や運動生活などの複数の生活習慣項目を含む広い観点からユーザに対して生活習慣の改善メニューを提示するように構成されている。
【０００４】
【特許文献１】特開平７−１７５４０４号公報
【発明の開示】
【発明が解決しようとする課題】
【０００５】
しかしながら、上記特許文献１の健康指導システムでは、食生活や運動生活などの複数の生活習慣項目を含む広い観点からユーザに対して生活習慣の改善メニューを提示することが可能である一方、複数の生活習慣項目のうち、ユーザがどの生活習慣項目から優先的に取り組めばよいかが判然としないという問題点がある。
【０００６】
この発明は、上記のような課題を解決するためになされたものであり、この発明の１つの目的は、生活習慣改善のためにユーザが優先的に取り組むべき生活習慣項目を提示することが可能な生活習慣改善提案装置、コンピュータプログラムおよび生活習慣改善提案システムを提供することである。
【課題を解決するための手段および発明の効果】
【０００７】
この発明の第１の局面による生活習慣改善提案装置は、出力部と、入力部と、を含む生活習慣改善提案装置であって、性別及び年齢を含む基礎情報に関する複数の第１の質問と、ユーザの複数の生活習慣項目に関連する複数の第２の質問とを前記出力部に出力させる第１質問手段と、第１質問手段により出力された質問に対する回答を入力部を介して受け付ける第１回答受付手段と、複数の生活習慣項目のうち、どの項目についてユーザが優先的に生活習慣の改善を行えばよいかを示す優先度を決定するために用いられる優先度決定条件を記憶する記憶部と、第１回答受付手段により受け付けられた回答と、記憶部に記憶された優先度決定条件とに基づいて、優先度を決定する優先度決定手段と、複数の生活習慣項目の各々と優先度とを対応付けて前記出力部に出力させる出力手段と、出力された複数の生活習慣項目からユーザによって選択されたいずれかの生活習慣項目を入力部を介して受け付ける選択受付手段と、選択受付手段により受け付けられた生活習慣項目に関連する質問であって、第１質問手段により行われた第２の質問に比べて詳細な内容の第３の質問を出力部に出力させる第２質問手段と、第２質問手段により行われた第３の質問に対する回答を入力部を介して受け付ける第２回答受付手段と、第２回答受付手段により受け付けられた回答に基づいて、選択受付手段により受け付けられた生活習慣項目に対応する生活習慣上のアドバイスを提供するアドバイス提供手段と、を備える。
【０００８】
この発明の第１の局面による生活習慣改善提案装置では、上記のように、第１回答受付手段により受け付けられた回答に基づいて、複数の生活習慣項目のうち、どの項目についてユーザが優先的に生活習慣の改善を行えばよいかを示す優先度を決定する優先度決定手段を設けることによって、生活習慣改善のために、複数の生活習慣項目のうちからユーザが優先的に取り組むべき生活習慣項目を提示することができる。また、記憶部に記憶された優先度決定条件を用いて、容易に、複数の生活習慣項目のうちからユーザが優先的に取り組むべき生活習慣項目を提示することができる。また、第２回答受付手段により、ユーザが選択した生活習慣項目についての質問に対するユーザからの回答を受け付けることができるので、ユーザの生活習慣について、より詳細な情報を得ることができる。これにより、ユーザに対して、より適切に生活習慣改善のための提案を行うことができる。また、ユーザは、アドバイス提供手段により提供されたアドバイスを参考にすることができるので、選択した生活習慣項目についての改善を容易に行うことができる。
【００１０】
上記第１の局面による生活習慣改善提案装置において、好ましくは、優先度決定手段は第１回答受付手段で受け付けられた回答に基づいて各生活習慣項目に対応する点数をそれぞれ取得し、取得したそれぞれの点数を比較することによって、優先度を決定するように構成されている。このように構成すれば、優先度決定手段により、ユーザからの回答に基づく各生活習慣項目の点数に基づいて、ユーザが取り組むべき生活習慣項目の優先度が決定されるので、各ユーザの生活習慣に応じて、各ユーザが優先的に取り組むべき生活習慣項目を容易に提示することができる。
【００１１】
上記記憶部を備えた構成において、好ましくは、優先度決定条件は、第１回答受付手段で受け付けられた回答に応じて所定の生活習慣項目に点数を割り当てる点数割り当て条件を含み、優先度決定手段は、第１回答受付手段で受け付けられた回答と、記憶部に記憶された点数割り当て条件とに基づいて、各生活習慣項目に対応する点数をそれぞれ取得し、取得したそれぞれの点数を比較することによって、優先度を決定するように構成されている。このように構成すれば、ユーザからの回答に基づいて各生活習慣項目に対応する点数を容易に取得できるので、各ユーザの生活習慣に応じて、各ユーザが優先的に取り組むべき生活習慣項目を容易に提示することができる。
【００１２】
上記第１の局面による生活習慣改善提案装置において、好ましくは、上記優先度は優先順位である。このように構成すれば、ユーザが取り組むべき生活習慣項目が順位付けされるので、取り組む生活習慣項目をユーザが選択し易くなる。
【００１３】
上記第１の局面による生活習慣改善提案装置において、好ましくは、出力部は、表示部を含み、出力手段は、複数の生活習慣項目の各々と優先度とを対応付けて表示部に表示させる表示制御手段を含む。このように構成すれば、生活習慣改善のためにユーザが取り組むべき生活習慣項目の優先度が表示部に表示されるので、ユーザが優先度を視認することができ、その結果、取り組む生活習慣項目をユーザが選択し易くなる。
【００１６】
上記表示部を備えた構成において、好ましくは、複数の生活習慣項目の各々に関するユーザの生活習慣の改善状況を示す情報の入力を入力部を介して受け付ける入力受付手段と、入力受付手段により受け付けられた情報に基づいて、複数の生活習慣項目の各々に関するユーザの生活習慣の改善度合いを決定する改善度合い決定手段とをさらに備え、表示制御手段は、改善度合い決定手段により決定された生活習慣の改善度合いを表示部に表示させるように構成されている。このように構成すれば、ユーザが各生活習慣項目についての生活習慣の改善度合いを表示部により視認することができる。
【００１７】
上記表示部を備えた構成において、好ましくは、第１回答受付手段により受け付けられた回答に基づいて、ユーザの生活習慣の適切度合いを決定する適切度合い決定手段をさらに備え、表示制御手段は、適切度合い決定手段により決定された生活習慣の適切度合いを表示部に表示させるように構成されている。このように構成すれば、ユーザが生活習慣の適切度合いを表示部により視覚的に把握することができる。
【００１８】
上記第１の局面による生活習慣改善提案装置において、好ましくは、複数の生活習慣項目は、食事、運動、喫煙、栄養バランスおよび休養睡眠に関する生活習慣項目のうちの少なくとも２つ以上の生活習慣項目を含む。このように構成すれば、ユーザに対して、食事、運動、喫煙、栄養バランスおよび休養睡眠に関する生活習慣項目のうちの少なくとも１つの生活習慣項目を含む複数の生活習慣項目について、優先的に取り組むべき生活習慣項目を提示することができる。
【００１９】
この発明の第２の局面によるコンピュータプログラムは、  出力部と、入力部と、を含むコンピュータを、性別及び年齢を含む基礎情報に関する複数の第１の質問と、ユーザの複数の生活習慣項目に関連する複数の第２の質問とを前記出力部に出力させる第１質問手段と、第１質問手段により出力された質問に対する回答を入力部を介して受け付ける第１回答受付手段と、複数の生活習慣項目のうち、どの項目についてユーザが優先的に生活習慣の改善を行えばよいかを示す優先度を決定するために用いられる優先度決定条件を記憶する記憶部と、第１回答受付手段により受け付けられた回答と、記憶部に記憶された優先度決定条件とに基づいて、複数の生活習慣項目のうち、どの項目についてユーザが優先的に生活習慣の改善を行えばよいかを示す優先度を決定する優先度決定手段と、複数の生活習慣項目の各々と優先度とを対応付けて出力部に出力させる出力手段と、出力された複数の生活習慣項目からユーザによって選択されたいずれかの生活習慣項目を入力部を介して受け付ける選択受付手段と、選択受付手段により受け付けられた生活習慣項目に関連する質問であって、第１質問手段により行われた第２の質問に比べて詳細な内容の第３の質問を出力部に出力させる第２質問手段と、第２質問手段により行われた第３の質問に対する回答を前記入力部を介して受け付ける第２回答受付手段と、第２回答受付手段により受け付けられた回答に基づいて、選択受付手段により受け付けられた生活習慣項目に対応する生活習慣上のアドバイスを提供するアドバイス提供手段と、してコンピュータを機能させる。
【００２０】
この発明の第２の局面によるコンピュータプログラムでは、上記のように、複数の生活習慣項目について、回答受付手段により受け付けられた回答に基づいて、複数の生活習慣項目のうち、どの項目についてユーザが優先的に生活習慣の改善を行えばよいかを示す優先度を決定する優先度決定手段としてコンピュータを機能させることによって、生活習慣改善のために、複数の生活習慣項目のうちからユーザが優先的に取り組むべき生活習慣項目を提示することができる。
【００２１】
この発明の第３の局面による生活習慣改善提案システムは、サーバと、サーバと接続される、出力部及び入力部を含む端末装置とを備えた生活習慣改善提案システムであって、端末装置は、性別及び年齢を含む基礎情報に関する複数の第１の質問と、ユーザの複数の生活習慣項目に関連する複数の第２の質問とを前記出力部に出力させる第１質問手段と、第１質問手段により出力された質問に対する回答を前記入力部を介して受け付ける第１回答受付手段とを含み、サーバは、    複数の生活習慣項目のうち、どの項目についてユーザが優先的に生活習慣の改善を行えばよいかを示す優先度を決定するために用いられる優先度決定条件を記憶する記憶部を含み、端末装置はさらに、第１回答受付手段により受け付けられた回答と、記憶部に記憶された優先度決定条件とに基づいて、優先度を決定する優先度決定手段と、複数の生活習慣項目の各々と、優先度とを対応付けて出力部に出力させる出力手段と、出力された複数の生活習慣項目からユーザによって選択されたいずれかの生活習慣項目を前記入力部を介して受け付ける選択受付手段と、選択受付手段により受け付けられた生活習慣項目に関連する質問であって、第１質問手段により行われた第２の質問に比べて詳細な内容の第３の質問を前記出力部に出力させる第２質問手段と、第２質問手段により行われた第３の質問に対する回答を入力部を介して受け付ける第２回答受付手段と、第２回答受付手段により受け付けられた回答に基づいて、選択受付手段により受け付けられた生活習慣項目に対応する生活習慣上のアドバイスを提供するアドバイス提供手段と、を含む。
【００２２】
この発明の第３の局面による生活習慣改善提案システムでは、上記のように、サーバが、複数の生活習慣項目のうち、どの項目についてユーザが優先的に生活習慣の改善を行えばよいかを示す優先度を決定するために用いられる優先度決定条件を記憶する記憶部を備え、端末装置が、回答受付手段により受け付けられた回答と、サーバの記憶部に記憶された優先度決定条件とに基づいて、上記優先度を決定する優先度決定手段を備えることによって、生活習慣改善のために、複数の生活習慣項目のうちからユーザが優先的に取り組むべき生活習慣項目を提示することができる。
【発明を実施するための最良の形態】
【００２３】
以下、本発明の実施形態を図面に基づいて説明する。
【００２４】
まず、図１〜図４を参照して、本発明の一実施形態による生活習慣改善提案装置１００について説明する。
【００２５】
本発明の一実施形態による生活習慣改善提案装置１００は、薬局の入口付近などに配置されるように構成されている。また、図１および図２に示すように、生活習慣改善提案装置１００は、装置本体１０と、体脂肪計２０と、ヘモグロビン推定器３０と、血圧計４０と、脈波計５０と、プリンタ６０とを備えている。また、生活習慣改善提案装置１００は、サーバ２００と接続されており、生活習慣改善提案装置１００およびサーバ２００は、生活習慣改善提案システム１を構成している。
【００２６】
また、図１に示すように、装置本体１０の正面には、ユーザに栄養摂取に関する情報などを表示するとともに、性別、年齢、身長などの基礎情報、および、生活習慣についての複数の設問に対する回答などを入力するためのタッチパネル式ディスプレイ（以下、「タッチパネル」という）１１が設けられている。また、タッチパネル１１の下側には、会員登録したユーザ（以下、「カード会員」という）のＩＤ（会員番号）が記録されたＩＤカード（図示せず）を読み取るＩＤカードリーダ１２が設けられている。また、図２に示すように、装置本体１０は、ＣＰＵ１３と、ＲＡＭ１４と、ＲＯＭ１５と、ハードディスク１６とをさらに備えている。また、装置本体１０には、タッチパネル１１に画像を出力するための画像出力インタフェース１７と、タッチパネル１１から入力されたユーザからの情報を受け付けるための入出力インタフェース１８と、Ｉ／Ｏ（Ｉｎｐｕｔ／Ｏｕｔｐｕｔ）部１９とが設けられている。また、Ｉ／Ｏ部１９には、体脂肪計２０、ヘモグロビン推定器３０、血圧計４０、脈波計５０、プリンタ６０およびサーバ２００が接続されている。
【００２７】
ＣＰＵ１３は、ＲＯＭ１５に記憶されているコンピュータプログラムおよびＲＡＭ１４にロードされたコンピュータプログラムを実行するために設けられている。
【００２８】
ＲＡＭ１４は、ＳＲＡＭまたはＤＲＡＭなどによって構成されている。ＲＡＭ１４は、ＲＯＭ１５およびハードディスク１６に記録されているコンピュータプログラムの読み出しに用いられる。また、ＲＡＭ１４は、これらのコンピュータプログラムを実行するときに、ＣＰＵ１３の作業領域として利用される。
【００２９】
ＲＯＭ１５は、マスクＲＯＭ、ＰＲＯＭ、ＥＰＲＯＭ、ＥＥＰＲＯＭなどによって構成されており、ＣＰＵ１３に実行されるコンピュータプログラムおよびこれに用いるデータなどが記録されている。
【００３０】
ハードディスク１６には、オペレーティングシステムおよびアプリケーションプログラム１６ａなど、ＣＰＵ１３に実行させるための種々のコンピュータプログラムおよびそのコンピュータプログラムの実行に用いるデータベースなどがインストールされている。具体的には、図３に示すように、ハードディスク１６には、アプリケーションプログラム１６ａのほか、設問情報ＤＢ（データベース）１６ｂ、優先度計算条件情報ＤＢ１６ｃ、目標・課題情報ＤＢ１６ｅおよびアドバイス情報ＤＢ１６ｆが含まれている。そして、設問情報ＤＢ１６ｂには、後述する基本設問および各ステージに関する設問の情報が格納されている。また、優先度計算条件情報ＤＢ１６ｃには、図４に示すような優先度計算条件情報が格納されている。なお、優先度計算条件情報については、後述するステージ優先順位の計算処理の説明において詳細に説明する。
【００３１】
また、目標・課題情報ＤＢ１６ｅには、各ステージに対応した複数の目標に関する情報および各目標に対応付けられた複数の課題に関する情報が格納されている。目標に関する情報とは、各ステージに取り組む際にユーザに提示される目標に関する情報であり、課題に関する情報とは、各目標を達成するためにユーザに提示される課題に関する情報である。また、アドバイス情報ＤＢ１６ｆには、ユーザに提示される目標および課題に対応した、ユーザへの助言のためのアドバイス情報が格納されている。
【００３２】
サーバ２００には、ユーザ情報ＤＢ２００ａがインストールされている。ユーザ情報ＤＢ２００ａには、カード会員のＩＤ（会員番号）に対応するユーザ情報が格納されている。ユーザ情報とは、カード会員の年齢や性別などの基礎情報、体脂肪計２０やヘモグロビン推定器３０などの測定器により測定された各測定項目の測定結果の履歴情報、後述する各選択ステージ処理においてユーザが選択した目標や課題の履歴情報や、過去にユーザに提供されたアドバイス情報や、ユーザのステージ攻略状況に関する情報などである。
【００３３】
次に、図１、図２、図５および図６を参照して、本発明の一実施形態による生活習慣改善提案装置１００の生活習慣改善提案処理について説明する。
【００３４】
まず、生活習慣改善提案装置１００が起動されると、図５に示したステップＳ１において、ＣＰＵ１３（図２参照）によりアプリケーションプログラム１６ａの初期化が行われる。ステップＳ２において、図６に示すように、初期画面３０１がタッチパネル１１に表示される。初期画面３０１には、カード会員が選択するボタン３０１ａと、会員登録していないユーザが選択するボタン３０１ｂとが表示される。ユーザは、タッチパネル１１の画面に指などで直接触れることによって、ボタン３０１ａまたは３０１ｂのいずれかを選択することが可能である。また、初期画面３０１の上側部分には、生活習慣改善提案処理の開始から終了までの全体の流れが示されており、現在の段階が、生活習慣改善提案処理全体の中のどの段階であるのかをユーザが容易に認識することが可能なように表示されている。たとえば、初期画面３０１では、スタート部分が目立つように青色表示される。なお、タッチパネル１１に表示される他の表示画面においても、この初期画面３０１と同様に、表示している処理の段階が生活習慣改善提案処理全体の中のどの段階であるのかをユーザが容易に認識することが可能なように表示される。
【００３５】
そして、ステップＳ３において、ＣＰＵ１３により、ユーザが初期画面３０１でいずれのボタンを選択したかが判断され、ユーザがボタン３０１ａを選択した場合には、ステップＳ４において、ＩＤカード（図示せず）がＩＤカードリーダ１２（図１参照）に挿入されたか否かが判断される。ユーザによりＩＤカードが挿入された場合には、動作はステップＳ５に移行し、ＩＤカードが挿入されていなければ、挿入されるまでこの判断が繰り返される。ステップＳ３において、ユーザがボタン３０１ｂを選択した場合には、ＩＤカードの挿入の有無は判断されずにステップＳ５に移行される。
【００３６】
ここで、図７〜図９を参照して、ステップＳ５において行われる基礎情報の入力処理について説明する。
【００３７】
まず、図７のステップＳ５１において、基礎情報の有無が判断される。カード会員によりＩＤカードが挿入されている場合には、基礎情報がありとしてステップＳ５２に移行され、基礎情報の変更選択画面（図示せず）がタッチパネル１１に表示される。基礎情報の変更選択画面は、ユーザが年齢や身長などの基礎情報の変更を行うか否かを指示することが可能なように構成されており、ステップＳ５３において、ユーザからの変更指示の有無が判断される。そして、ユーザから変更指示があった場合には、ステップＳ５４に移行され、変更指示がない場合には、ステップＳ５５に移行される。
【００３８】
また、ユーザが生活習慣改善提案装置１００を初めて利用する場合などで、ＩＤカードが挿入されていない場合には、ステップＳ５１において、ＣＰＵ１３により、基礎情報がないと判断され、ステップＳ５４に移行される。そして、ステップＳ５４において、図８および図９に示すように、性別および年齢についての情報を入力するための基礎情報入力画面３０２および３０３がタッチパネル１１に表示され、ユーザからの入力情報が受け付けられる。また、身長についても、性別および年齢と同様に、タッチパネル１１を介してユーザからの入力情報が受け付けられる。さらに、ステップＳ５５において、体重および腹囲について、性別、年齢および身長と同様に、タッチパネル１１を介してユーザからの入力情報が受け付けられる。
【００３９】
上記したステップＳ５の基礎情報の入力処理を行った後、図５に示すステップＳ６において、ユーザの体脂肪、ヘモグロビン濃度、血圧および脈波がそれぞれ体脂肪計２０、ヘモグロビン推定器３０、血圧計４０および脈波計５０により測定され、測定結果がＲＡＭ１４に記憶される。そして、ステップＳ７において、生活習慣改善提案装置１００を初めて利用するユーザであるか否かが、ＣＰＵ１３により、ＩＤカードの有無に基づいて判断され、初回利用である場合には、ステップＳ８に移行される。
【００４０】
ここで、図５および図１０〜図１３を参照して、ステップＳ８において行われる共通設問処理について説明する。
【００４１】
まず、ステップＳ８１において、基本設問処理が行われる。基本設問処理では、ユーザの生活習慣や健康状態などについての複数の設問が行われ、たとえば、図１１および図１２に示すように、「１回３０分以上の軽く汗をかく運動を週２日以上、１年以上実施しているか？」といった設問や「睡眠で休養がえられているか？」といった設問が行われる。そして、各設問に対するユーザからの回答がＲＡＭ１４に記憶される。次に、ステップＳ８２において、図５に示すステップＳ５の基礎情報の入力処理におけるユーザからの入力情報に基づいて、肥満度の目安となるＢＭＩ（Ｂｏｄｙ  Ｍａｓｓ  Ｉｎｄｅｘ）が算出されるとともに、算出結果がＲＡＭ１４に一時的に記憶される。ＢＭＩの算出式を以下の式（１）に示す。
【００４２】
Ｂ＝Ｗ／Ｈ２・・・・・（１）
上記式（１）において、ＢはＢＭＩ（ｋｇ／ｍ２）、Ｗは体重（ｋｇ）、Ｈは身長（ｍ）をそれぞれ表す。
【００４３】
その後、ステップＳ８３において、ユーザの生活習慣の適切度合いを示す生活習慣レベルが算出されるとともに、算出結果がＲＡＭ１４に記憶される。生活習慣レベルは、ステップＳ８１において受け付けられた各設問に対するユーザからの回答、図５に示すステップＳ５の基礎情報の入力処理において受け付けられた基礎情報、ステップＳ６において得られた測定結果、および、ステップＳ８２において算出されたＢＭＩに基づいて算出される。そして、ステップＳ８４において、図１３に示すように、算出された生活習慣レベルがタッチパネル１１にゲージ表示される。
【００４４】
上記したステップＳ８の共通設問処理を行った後、図５に示すステップＳ９において、ステージ優先順位の計算が行われる。
【００４５】
ここで、図４、図５、図１０、図１４および図１５を参照して、ステップＳ９において行われるステージ優先順位の計算について説明する。
【００４６】
本実施形態では、ステップＳ９１において、図１０の基本設問処理で行われた複数の設問についての回答、および、血圧計４０などの測定器により測定された測定値に対応する点数が優先度計算条件情報ＤＢ１６ｃの優先度計算条件情報（図４参照）に基づいて読み出される。具体的には、優先度計算条件情報には、各設問についての回答に対するステージ優先順位計算用の点数が予め設定されており、ユーザからの回答に応じてその設定点数が読み出される。たとえば、基本設問の設問Ｓ１（「２０歳の時の体重から１０ｋｇ以上増加しているか？」）についてのユーザの回答が「はい」であった場合には、運動習慣ステージおよび食習慣ステージについて点数１が読み出される。そして、設問Ｓ１については、運動習慣ステージおよび食習慣ステージ以外のその他のステージについての点数は読み出されない。また、たとえば、設問Ｋ７（「下痢になったり、便秘になったりするか？」）についてのユーザの回答が「しばしば」であった場合には、栄養バランスステージについて点数２が読み出される。設問Ｋ７については、栄養バランスステージ以外のその他のステージについての点数は読み出されない。また、ステージ優先順位計算用の点数は、基本設問についての回答に対してのみならず、図５のステップＳ６における測定結果に基づいても読み出される。たとえば、図４の設問Ｐ１の欄に示すように、血圧値が所定の範囲内であった場合には、食習慣ステージについて点数２が読み出される。
【００４７】
そして、ステップＳ９２において、ステップＳ９１で読み出された点数のステージごとの総合点数が算出される。その後、ステップＳ９３において、各ステージの１設問あたりの平均点数が算出される。この平均点数は、ステップＳ９２で算出したステージの総合点数を、そのステージに関連する設問数で割ることにより算出される。ステージに関連する設問とは、所定の回答に対してそのステージについて点数が読み出される設問のことであり、たとえば、設問Ｓ１は、運動習慣ステージおよび食習慣ステージに関連する設問である。
【００４８】
その後、ステップＳ９４において、ＣＰＵ１３により、各ステージの１設問あたりの平均点数が比較され、ステップＳ９５において、ユーザに提示するステージの優先順位が平均点数の高い順になるように仮決定される。そして、ステップＳ９６において、同じ平均点数のステージがあるか否かが判断され、同点数のステージがある場合には、ステップＳ９７において、予め設定された所定のルールに基づいて、同点数のステージの順位調整が行われた後、優先順位が仮決定される。ここで、上記所定のルールとして、同点数のステージがある場合には、運動習慣ステージ、食習慣ステージ、栄養バランスステージ、喫煙習慣ステージ、休息睡眠ステージの順位にしたがって優先順位を決定するというルールが予め設定されている。
【００４９】
次に、ステップＳ９８において、ステップＳ８２において算出されたＢＭＩが３０よりも大きく（ＢＭＩ＞３０）、かつ、ステップＳ９５またはステップＳ９７で仮決定された優先順位において、運動習慣ステージが食習慣ステージよりも上位（運動習慣ステージ＞食習慣ステージ）であるか否かが判断される。肥満度の高いユーザには運動療法の効果が期待できず、かえって害になる可能性があり、このようなユーザには運動療法よりも食事療法を行った方が高い効果を期待することができる。そのため、ＢＭＩ＞３０、かつ、運動習慣ステージ＞食習慣ステージである場合には、ステップＳ９９において、食習慣ステージの優先順位が運動習慣ステージの順位よりも１つだけ上位になるように食習慣ステージの優先順位が繰り上げられる。これにより、ステージの優先順位が最終決定される。
【００５０】
そして、ステップＳ１００において、ステップＳ９３で算出した１設問あたりの平均点数が所定点数以下であるステージの攻略度（図１５参照）が１００％に設定されるとともに、そのステージが後述するステージ選択画面３０４（図１５参照）から選択することができないように設定される。ここで、ステージの攻略度とは、各ステージの達成度合いを示す指標であり、ステージの目標および課題が達成されるのに応じて攻略度が高くなる。また、ステージの攻略度が１００％になれば、そのステージをクリア（達成）したこととなる。したがって、ステップＳ１００において、ステージの攻略度が１００％に設定されると、そのステージはユーザによりクリアされたのと同様となる。すなわち、１設問あたりの平均点数が所定の点数以下であるステージは、ユーザにとって取り組むべき優先順位の低いステージであるとして、ユーザが選択することができないように設定される。
【００５１】
上記したステップＳ９のステージ優先順位の計算を行った後、図５に示すステップＳ１０において、図１５に示すように、ステージ選択画面３０４がタッチパネル１１に表示される。
【００５２】
ステージ選択画面３０４には、各ステージの攻略度を示す攻略度ゲージ３０４ａとともに、全ステージについての総合的な攻略状況を示す攻略度ゲージ３０４ｂが表示される。また、ステージ選択画面３０４には、各ステージの攻略度を示す攻略度ゲージ３０４ａに対応するように配置されたステージボタン３０４ｃが表示される。また、各ステージボタン３０４ｃは、優先順位の高いステージから順に並べて表示される。これにより、ユーザが各ステージの優先順位を容易に認識することが可能となる。また、ステージボタン３０４ｃは、タッチパネル１１上で選択可能な態様で表示される。また、ステージの攻略度を示す攻略度ゲージ３０４ａが１００％になると、対応するステージのステージボタン３０４ｃは選択できないように設定される。すなわち、ユーザがすでにクリア（達成）しているステージ、および、図１４に示すステージ優先順位の計算のステップＳ１００において、ＣＰＵ１３により優先的に取り組む必要がないと判断されたステージのステージボタン３０４ｃが選択できない状態に設定される。そして、ステップＳ１１において、ステージ選択画面３０４のステージボタン３０４ｃのいずれかが選択されたか否かが判断され、選択されるまでこの判断が繰り返される。いずれかのステージボタン３０４ｃが選択されると、ステップＳ１２の処理に移行する。
【００５３】
一方、ステップＳ７において、初回利用ではないと判断された場合には、ステップＳ１８において、図１６に示すように、ステージ攻略状況画面３０５がタッチパネル１１に表示される。ステージ攻略状況画面３０５には、全ステージの総合的な攻略度を示す攻略度ゲージ３０５ａが表示されるとともに、ステージごとの攻略度を示す攻略度ゲージ３０５ｂが表示される。また、各ステージ名が、優先順位の高いステージから順に並べて表示されるとともに、現在ユーザが取り組んでいるステージを示す矢印３０５ｄが表示される。ユーザがタッチパネル１１上で「次へ進む」ボタン３０５ｃを押下すると、動作がステップＳ１２に移行される。
【００５４】
ここで、図１７を参照して、ステップＳ１２において行われる各選択ステージの処理について説明する。
【００５５】
各選択ステージの処理では、まず、ステップＳ１２１〜ステップＳ１２４において、それぞれ、ユーザにより選択されたステージが食習慣ステージであるか、運動習慣ステージであるか、喫煙状況ステージであるか、または、休養・睡眠ステージであるかが判断され、ステップＳ１２５〜ステップＳ１２８において、対応するステージの処理が行われる。そして、ユーザにより選択されたステージが上記した４つのステージのいずれでもない場合には、ステップＳ１２９において、栄養バランスステージ処理が行われる。
【００５６】
ここで、上記した５つのステージのうち、ユーザが図１５に示すステージ選択画面３０４において栄養バランスステージを選択した場合のステップＳ１２９における栄養バランスステージ処理について、図１８〜図２５を参照して説明する。
【００５７】
まず、図１８に示したステップＳ２０１において、ＣＰＵ１３により、実施中の目標があるかないかが判断される。ここで、実施中の目標とは、生活習慣改善提案装置１００がユーザに提示する複数の目標のうち、ユーザにより選択された目標のことである。ＣＰＵ１３は、サーバ２００のユーザ情報ＤＢ２００ａを参照して、ユーザにより現在実施されている目標があるか否かを判断する。したがって、ユーザが初めて生活習慣改善提案装置１００を使用する場合には、そのユーザはまだ目標を選択していないので、実施中の目標がないと判断される。
【００５８】
実施中の目標がないと判断された場合には、ステップＳ２０２において、平均的な１日の食事についての第１設問処理が行われる。具体的には、図１９に示すように、ごはん・パン・麺類設問画面３０６が表示される。ごはん・パン・麺類設問画面３０６には、設問の内容が記載される設問表示領域３０６ａ、食品表示領域３０６ｂおよび選択済み食品表示領域３０６ｃが含まれている。食品表示領域３０６ｂには、ごはん・パン・麺類の食品名と摂取量とがグラフィック表示された複数の食品選択ボタンが表示されている。ユーザは、平均的な１日に摂取するごはん・パン・麺類の食品を、食品表示領域３０６ｂに表示された食品選択ボタンから選択する。ユーザが選択した食品選択ボタンにおける食品のアイコンは、食品表示領域３０６ｂの左側に設けられた選択済み食品表示領域３０６ｃにグラフィック表示される。たとえば、平均して１日にうどんを２杯摂取する場合には、ユーザは、「うどん１杯」のボタンを２回選択する。これにより、選択済み食品表示領域３０６ｃにはうどんのアイコンが２つ表示される。そして、ユーザは１日に摂取する食品に対応する食品選択ボタンを全て選択した後、次へ進むボタン３０６ｄを押下する。これによって、ＣＰＵ１３により、ユーザが選択した食品選択ボタンの情報と、選択された食品選択ボタンの数の情報とが受け付けられ、それらの入力情報がＲＡＭ１４に記憶される。また、ごはん・パン・麺類設問画面３０６において、ユーザにより、前へ戻るボタン３０６ｅが押下されると、前画面が表示される。
【００５９】
その後、平均的な１日の食事についての第１設問処理として、図示しない緑黄色野菜類設問画面、淡色野菜類設問画面、油脂類設問画面、砂糖類設問画面およびサプリメント設問画面などが順次タッチパネル１１に表示される。ユーザは、ごはん・パン・麺類設問画面３０６において食品摂取情報を入力した場合と同様に、各設問画面において、１日に摂取する食品摂取情報を入力する。
【００６０】
そして、ステップＳ２０３において、平均的な１週間の食事についての第２設問処理が行われる。具体的には、ごはん・パン・麺類設問画面３０６と同様の態様で、いも類設問画面３０７（図２０参照）、果物類設問画面（図示せず）および肉類設問画面（図示せず）などが順次タッチパネル１１に表示される。ユーザは、各設問画面において、１週間に摂取する食品摂取情報を入力し、ＣＰＵ１３が、その入力情報を受け付ける。
【００６１】
次に、ステップＳ２０４では、ＣＰＵ１３により、上記した第１設問処理および第２設問処理においてユーザにより入力された食品に対応する栄養情報および基準摂取量がハードディスク１６から読み出される。そして、ステップＳ２０５において、読み出した栄養情報および基準摂取量に基づいて、ユーザに入力された各食品について各栄養素の摂取量が取得される。
【００６２】
その後、ステップＳ２０６において、ＣＰＵ１３により、算出された各栄養素の摂取量がＲＡＭ１４に記憶され、ステップＳ２０７において、図２１に示すように、目標選択画面３０８がタッチパネル１１に表示される。ＣＰＵ１３は、上記したステップＳ２０５において算出された栄養摂取情報に基づいて、微量栄養素のうち最も摂取量の少ない５つの栄養素に対応する目標をハードディスク１６の目標・課題情報ＤＢ１６ｅからＲＡＭ１４に読み出し、目標選択画面３０８をタッチパネル１１に表示する。また、上記したステップＳ２０５において算出された三大栄養素のたんぱく質、炭水化物および脂質の摂取量のうち最も少ない栄養素に対応する目標も目標選択画面３０８に表示される。また、目標選択画面３０８に表示された各目標選択ボタン３０８ａには、目標の達成状況を示す攻略度ゲージ３０８ｂが表示される。攻略度ゲージ３０８ｂは、各目標に設定される後述する４つの課題のうち、いくつ課題が達成されたかを示すように構成されている。たとえば、４つの課題のうちの１つが達成された場合には、攻略度２５％と表示される。
【００６３】
次に、ステップＳ２０８において、目標選択画面３０８のいずれかの目標選択ボタン３０８ａが押下（選択）されたか否かが判断され、いずれかの目標選択ボタン３０８ａが選択された場合には、ステップＳ２０９において、選択された目標に関する情報がＲＡＭ１４に記憶される。
【００６４】
そして、ステップＳ２１０において、図２２に示すように、ユーザが選択した目標に対応する課題選択画面３０９がタッチパネル１１に表示される。課題選択画面３０９には、ユーザにより選択された目標に対応する４つの課題が選択可能な態様で表示される。４つの課題は、ユーザが各課題を達成することによって目標の栄養素をバランスよく摂取することが可能なように設けられている。また、各課題選択ボタン３０９ａには、各課題を達成するためのおすすめの料理名が記載されるとともに、その料理がグラフィック表示される。たとえば、課題Ａの課題選択ボタン３０９ａには、料理名として焼き鳥が示されるとともに、グラフィック表示領域３０９ｂには、焼き鳥を表す写真などがグラフィック表示される。また、レシピを見るボタン３０９ｃが押下されると、図２３に示すように、レシピ表示画面３１０が課題選択画面３０９の上に重ねて表示される。このレシピ表示画面３１０には、料理のレシピが表示されるレシピ表示領域３１０ａと、料理の写真などを表示するグラフィック表示領域３１０ｂとが含まれている。また、課題選択ボタン３０９ａには、課題の達成度合いを示す星マーク３０９ｄが表示される。星マーク３０９ｄの星の数は、後述する目標達成確認画面３１２（図２５参照）から入力される課題の達成度情報に基づいて決定され、星の数が多いほど達成度合いが高いことを示す。また、星が１つ以上表示された課題の課題選択ボタン３０９ａは、網掛け表示され、選択することができないように設定される。
【００６５】
ステップＳ２１１において、４つの課題のうちのいずれかが選択されたか否かが判断され、選択された場合には、ステップＳ２１２において、選択された課題に関する情報がＲＡＭ１４に記憶される。そして、ステップＳ２１３において、ＣＰＵ１３により、ユーザにより選択された目標および課題に対応する目標達成アドバイスがハードディスク１６のアドバイス情報ＤＢ１６ｆからＲＡＭ１４に読み出される。次に、ステップＳ２１４において、図２４に示すように、総合評価アドバイス画面３１１がタッチパネル１１に表示され、栄養バランスステージ処理が終了される。総合評価アドバイス画面３１１には、印刷ボタン３１１ａ、生活習慣レベルゲージ３１１ｂ、総合コメント欄３１１ｃ、測定結果一覧３１１ｄおよび栄養バランス改善状況グラフ３１１ｅが表示される。生活習慣レベルゲージ３１１ｂには、図１０に示す共通設問処理のステップＳ８３において算出された生活習慣レベルが表示される。また、総合コメント欄３１１ｃには、ユーザの基礎情報、測定結果および食事に関する情報などを総合的に評価したコメントが記載される。測定結果一覧３１１ｄには、各測定項目についての測定結果が一覧表示され、栄養バランス改善状況グラフ３１１ｅには、選択したステージの目標の攻略度および課題の達成度に応じた栄養バランスの改善度合いがグラフィック表示される。
【００６６】
また、前回使用以前にユーザが目標を設定している場合には、ステップＳ２０１において、実施中の目標があると判断され、ステップＳ２１５において、図２５に示す目標達成確認画面３１２がタッチパネル１１に表示される。目標達成確認画面３１２には、ユーザが自己判断により、「できた」、「大体できた」、「あまりできなかった」、および、「できなかった」の４つの達成度を入力可能なように達成度ボタン３１２ａが表示される。また、ユーザが「できた」を選択した場合には、図２２に示す課題選択画面３０９の対応する課題に３つの星マーク３０９ｄが表示され、「大体できた」が選択された場合には、２つの星マーク３０９ｄが表示される。また、「あまりできなかった」が選択されると、１つの星マーク３０９ｄが表示され、「できなかった」が選択された場合には、星マーク３０９ｄが表示されない。そして、ステップＳ２１６において、４つの達成度ボタン３１２ａのうちのいずれかが選択されたか否かが判断され、選択されると、ステップＳ２１７において、ユーザが選択した達成度の情報がＲＡＭ１４に記憶される。そして、ステップＳ２１８において、ＣＰＵ１３により、現在の目標に設定された４つの課題のすべてが終了されたか否かが判断される。すべての課題が終了していない場合には、ステップＳ２１０に移行され、図２２に示す課題選択画面３０９が表示される。この際、課題選択画面３０９には、星マーク３０９ｄが表示されていない課題選択ボタン３０９ａだけが選択可能に表示される。
【００６７】
ステップＳ２１８において、全ての課題が終了したと判断された場合には、ステップＳ２１９において、ユーザが現在取り組んでいる目標が終了したことがＲＡＭ１４に記憶される。そして、ステップＳ２２０において、当初目標選択画面３０８（図２１参照）に表示された目標のうちの３つの目標がクリア（達成）されたか否かが判断され、クリアされていない場合には、ステップＳ２０７に移行され、目標選択画面３０８が表示される。この際、クリアされた目標の攻略度ゲージ３０８ｂには１００％と表示され、対応する目標選択ボタン３０８ａが選択できないように設定される。一方、全ての目標が終了した場合には、ステップＳ２２１において、栄養バランスステージがクリアされたことをユーザに通知する完了メッセージ画面（図示せず）がタッチパネル１１に表示され、栄養バランスステージ処理が終了される。
【００６８】
上記したステップＳ１２の各選択ステージの処理を行った後、図５に示すステップＳ１３において、各選択ステージの処理中に表示される総合評価アドバイス画面３１１（図２４参照）の印刷ボタン３１１ａが押下されたか否かが判断される。押下された場合には、ステップＳ１４において、プリンタ６０により、結果用紙３１３の印刷が行われる。
【００６９】
結果用紙３１３の表面３１４には、図２６に示すように、生活習慣レベルゲージ３１４ａ、総合コメント欄３１４ｂ、測定結果一覧３１４ｃ、栄養バランス改善状況グラフ３１４ｄおよび測定履歴グラフ３１４ｅが表示される。また、生活習慣レベルゲージ３１４ａ、総合コメント欄３１４ｂ、測定結果一覧３１４ｃおよび栄養バランス改善状況グラフ３１４ｄには、上記した総合評価アドバイス画面３１１と同様の内容が表示される。また、測定履歴グラフ３１４ｅには、体脂肪や血圧などの測定結果を時系列で比較可能な折れ線グラフが表示される。なお、図２６に示した結果用紙３１３は、生活習慣改善提案装置１００を初めて使用したユーザに対して出力された結果であるため、各折れ線グラフには１回だけの測定値しか表示されていない。また、結果用紙３１３の表面３１４には、各結果用紙３１３に固有のバーコード３１４ｆが付されている。薬剤師などのアドバイザが、このバーコード３１４ｆをアドバイザ側装置（図示せず）のバーコードリーダで読み取ると、アドバイザ側装置の表示部には、ユーザの基礎情報や栄養摂取傾向などが表示される。
【００７０】
また、図２７に示すように、結果用紙３１３の裏面３１５には、栄養バランスステージ処理においてユーザが選択した目標と課題とが表示される目標・課題表示欄３１５ａ、アドバイス表示欄３１５ｂおよびおすすめ保健機能食品表示欄３１５ｃが表示される。アドバイス表示欄３１５ｂには、目標を達成するための目標達成アドバイス、および、目標達成のために勧める料理のレシピが表示される。また、おすすめ保健機能食品表示欄３１５ｃには、ユーザの栄養摂取傾向に基づいて勧める保健機能食品についての記載が表示される。また、結果用紙３１３の裏面３１５には、ステージの進歩状況表示欄３１５ｄが表示され、クリア（達成）済みのステージには網掛け表示が施される。
【００７１】
そして、ステップＳ１５において、ＲＡＭ１４に記憶されている情報のうち、ステップＳ６で得られた血圧値やヘモグロビン濃度などの測定結果や、ステージ選択画面３０４においてユーザに選択されたステージに関する情報や、ユーザに選択された目標や課題の情報や、ユーザに提供されたアドバイス情報などを含むユーザ情報がサーバ２００に送信され、ユーザ情報ＤＢ２００ａに記憶される。次に、ステップＳ１６において、生活習慣改善提案装置１００のシャットダウン指示があったか否かが判断され、シャットダウン指示があった場合には、ステップＳ１７において、生活習慣改善提案装置１００のシャットダウンが実行され、その後、動作が終了される。シャットダウン指示がない場合には、ステップＳ２に移行され、タッチパネル１１に初期画面３０１（図６参照）が表示される。
【００７２】
本実施形態では、上記のように、優先度計算条件情報を記憶するハードディスク１６と、基本設問に対するユーザからの回答および優先度計算条件情報に基づいて、複数のステージのうちから、ユーザが優先的に取り組むべきステージを決定するＣＰＵ１３とを設けることによって、ユーザに対して、生活習慣改善のためにユーザが優先的に取り組むべきステージを提示することができる。
【００７３】
また、本実施形態では、上記した図１４に示すステージ優先順位の計算処理により決定された優先順位が表示部に表示されるので、生活習慣改善のために取り組むべきステージをユーザが選択し易くなる。
【００７４】
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更が含まれる。
【００７５】
たとえば、上記実施形態では、ユーザが取り組むべき生活習慣項目についてのステージを優先順位に従って並べて表示部に表示する例を示したが、本発明はこれに限らず、ユーザが取り組む生活習慣項目についての各ステージに対して、取り組む必要性の度合いを示す数値を表示部に表示するようにしてもよい。たとえば、栄養バランスステージ：６０、運動習慣ステージ：１０、喫煙習慣ステージ：３０のように表示してもよい。
【００７６】
また、上記実施形態では、図１３に示すように、ユーザの生活習慣の適切度合いを生活習慣レベルゲージを用いてタッチパネル１１にグラフィック表示する例を示したが、本発明はこれに限らず、ユーザの生活習慣の適切度合いをパーセントなどの割合を示す数値でタッチパネル１１に表示してもよい。
【００７７】
また、上記実施形態では、優先度決定条件をハードディスクのデータベースが記憶する例を示したが、本発明はこれに限らず、優先度決定手段としてのＣＰＵにより実行されるアプリケーションプログラム内に優先度決定条件が記憶されていてもよい。
【００７８】
また、上記実施形態では、基本設問の１設問あたりの平均点数が最も高い生活習慣項目を優先順位１位として決定する例を示したが、本発明はこれに限らず、たとえば、「この１年間で体重の増減が±３ｋｇ以上あったか」の設問に対する回答が「３ｋｇ以上増えた」の場合に、食習慣に関するステージの優先順位を１位に決定してもよいし、「睡眠で休養が得られているか」の設問に対する回答が「いいえ」の場合に、休息睡眠に関するステージの優先順位を１位に決定してもよい。
【００７９】
また、上記実施形態では、優先度決定手段としてのＣＰＵを生活習慣改善提案装置１００に設ける例を示したが、本発明はこれに限らず、優先度決定手段としてのＣＰＵを生活習慣改善提案装置１００に接続されたサーバ２００に設け、生活習慣項目の優先度をサーバ２００側で決定した後、決定結果をサーバ２００から生活習慣改善提案装置１００に送信するようにしてもよい。
【００８０】
また、上記実施形態では、優先度決定条件を記憶する記憶部を生活習慣改善提案装置１００に設ける例を示したが、本発明はこれに限らず、優先度決定条件を記憶する記憶部を生活習慣改善提案装置１００に接続されたサーバ２００に設け、生活習慣改善提案装置１００のＣＰＵにより、サーバ２００側で記憶される優先度決定条件を読み出すようにしてもよい。
【００８１】
また、上記実施形態では、ユーザの血圧値やヘモグロビン濃度などの測定結果や、ステージ選択画面３０４においてユーザに選択されたステージに関する情報や、ユーザに選択された目標や課題の情報などを含むユーザ情報がサーバ２００のユーザ情報ＤＢ２００ａに記憶されているが、本発明はこれに限らず、上記のユーザ情報を記憶するデータベースを生活習慣改善提案装置１００に設けてもよい。
【００８２】
また、上記実施形態では、ユーザが取り組む生活習慣項目の一例として、運動習慣ステージ、食習慣ステージ、栄養バランスステージ、喫煙習慣ステージおよび休息睡眠ステージを示したが、本発明はこれに限らず、たとえば、ユーザが取り組む生活習慣項目として、飲酒などの嗜好品摂取習慣ステージや、日常のストレス解消ステージなどがあってもよい。
【００８３】
また、上記実施形態では、生活習慣改善提案装置を、薬局の入口付近などに配置される据え置き型の装置とする例を示したが、本発明はこれに限らず、ユーザが持ち運びすることが可能な携帯型の装置としてもよい。
【図面の簡単な説明】
【００８４】
【図１】本発明の一実施形態による生活習慣改善提案装置の全体構成を示した斜視図である。
【図２】図１に示した一実施形態による生活習慣改善提案装置の各部の構成を説明するためのブロック図である。
【図３】図１に示した一実施形態による生活習慣改善提案装置のハードディスクの構成を説明するための図である。
【図４】図１に示した一実施形態による生活習慣改善提案装置の優先度計算条件情報を説明するための図である。
【図５】図１に示した一実施形態による生活習慣改善提案装置の生活習慣改善提案処理の全体フローを示したフローチャートである。
【図６】図１に示した一実施形態による生活習慣改善提案装置の初期画面を示した図である。
【図７】図５に示した生活習慣改善提案処理のステップＳ５における基礎情報の入力処理を説明するためのフローチャートである。
【図８】図１に示した一実施形態による生活習慣改善提案装置の性別選択画面を示した図である。
【図９】図１に示した一実施形態による生活習慣改善提案装置の年齢入力画面を示した図である。
【図１０】図５に示した生活習慣改善提案処理のステップＳ８における共通設問処理を説明するためのフローチャートである。
【図１１】図１に示した一実施形態による生活習慣改善提案装置の基本設問を説明するための図である。
【図１２】図１に示した一実施形態による生活習慣改善提案装置の基本設問を説明するための図である。
【図１３】図１に示した一実施形態による生活習慣改善提案装置における生活習慣レベルを示した図である。
【図１４】図５に示した生活習慣改善提案処理のステップＳ９におけるステージ優先順位の計算を説明するためのフローチャートである。
【図１５】図１に示した一実施形態による生活習慣改善提案装置のステージ選択画面を示した図である。
【図１６】図１に示した一実施形態による生活習慣改善提案装置のステージ攻略状況画面を示した図である。
【図１７】図５に示した生活習慣改善提案処理のステップＳ１２における各選択ステージの処理を説明するためのフローチャートである。
【図１８】図１７に示した各選択ステージの処理のステップＳ１２９における栄養バランスステージ処理を説明するためのフローチャートである。
【図１９】図１に示した一実施形態による生活習慣改善提案装置のごはん・パン・麺類設問画面を示した図である。
【図２０】図１に示した一実施形態による生活習慣改善提案装置のいも類設問画面を示した図である。
【図２１】図１に示した一実施形態による生活習慣改善提案装置の目標選択画面を示した図である。
【図２２】図１に示した一実施形態による生活習慣改善提案装置の課題選択画面を示した図である。
【図２３】図１に示した一実施形態による生活習慣改善提案装置のレシピ表示画面を示した図である。
【図２４】図１に示した一実施形態による生活習慣改善提案装置の総合評価アドバイス画面を示した図である。
【図２５】図１に示した一実施形態による生活習慣改善提案装置の目標達成確認画面を示した図である。
【図２６】図１に示した一実施形態による生活習慣改善提案装置の結果用紙の表面を示した図である。
【図２７】図１に示した一実施形態による生活習慣改善提案装置の結果用紙の裏面を示した図である。
【符号の説明】
【００８５】
１  生活習慣改善提案システム
１０  装置本体
１１  タッチパネル
１３  ＣＰＵ
１６  ハードディスク
１６ａ  アプリケーションプログラム
１００  生活習慣改善提案装置
２００  サーバ
【図１】
0005297672.tif 000002
【図２】
0005297672.tif 000003
【図３】
0005297672.tif 000004
【図４】
0005297672.tif 000005
【図５】
0005297672.tif 000006
【図６】
0005297672.tif 000007
【図７】
0005297672.tif 000008
【図８】
0005297672.tif 000009
【図９】
0005297672.tif 000010
【図１０】
0005297672.tif 000011
【図１１】
0005297672.tif 000012
【図１２】
0005297672.tif 000013
【図１３】
0005297672.tif 000014
【図１４】
0005297672.tif 000015
【図１５】
0005297672.tif 000016
【図１６】
0005297672.tif 000017
【図１７】
0005297672.tif 000018
【図１８】
0005297672.tif 000019
【図１９】
0005297672.tif 000020
【図２０】
0005297672.tif 000021
【図２１】
0005297672.tif 000022
【図２２】
0005297672.tif 000023
【図２３】
0005297672.tif 000024
【図２４】
0005297672.tif 000025
【図２５】
0005297672.tif 000026
【図２６】
0005297672.tif 000027
【図２７】
0005297672.tif 000028